(57)【特許請求の範囲】
【請求項１】
双方向無線通信方式における位置メッセージ送信のための方法であって、
複数の移動式加入者装置のうちの一部（複数）のために、対応する複数の位置に対する複数のメッセージ・タイプのマッピングするためのテーブルを作成するステップと、
複数のメッセージ・タイプのひとつと一致するある移動式加入者装置向けのメッセージを受信するステップと、
前記移動式加入者装置が置かれている位置を決定するステップと、
複数のメッセージ・タイプのひとつに対応する複数の位置のひとつにその位置が一致した時に、前記移動式加入者装置にメッセージを送信するステップと、
から成り、
前記メッセージは、所定時間枠の間に、指定位置の所定距離の範囲内にあることで促進されるアクションを取るよう前記移動式加入者装置のユーザーを喚起するために該ユーザーにより生成された、リマインダーであり、
前記方法が、
現在の時刻が所定時間枠の範囲内であるかどうかをチェックするステップと、
現在の時刻が所定時間枠内である場合に、特定位置と移動式加入者装置が置かれている位置間の距離を算出するステップと、
前記距離が所定距離未満である場合に、算出ステップを実行した後で移動式加入者装置にメッセージを送信するステップと、
をさらに含む、方法。
【請求項２】
メッセージを送信する前に、メッセージが位置の決定のための最小分解能を必要とし、
前記送信ステップが、メッセージを送信する前に、少なくとも最小分解能の分解能で、その位置が決定されたことを保証するステップから成る、請求項１に記載の方法。
【請求項３】
メッセージが、ある特定タイプのユーザー向けの、ある特定位置で発生したイベントに応答して生成される緊急メッセージであり、
前記方法が、
前記移動式加入者装置がある特定タイプのユーザーに属する場合に、特定位置と移動式加入者装置が置かれている位置との間の距離を算出するステップと、
前記距離が所定距離未満の場合に、前記移動式加入者装置にメッセージを送信するステップと、
をさらに含む、請求項１に記載の方法。
【請求項４】
所定時間内に送信ステップへ十分な応答が発生しなかった場合、所定距離より大きい算出距離を有する、少なくとも一つの追加の移動式加入者装置にメッセージを送信するステップをさらに含む、請求項３に記載の方法。
【請求項５】
双方向無線通信方式における位置メッセージ送信のための方法であって、
地理的位置と最大距離を指定しているブロードキャスト・メッセージを、複数の移動式加入者装置に送信するステップと、
ブロードキャスト・メッセージに応答して、複数の移動式加入者装置が置かれている位置に対応する複数の位置を決定するステップと、
地理的位置と対応する前記複数の位置間の複数の距離を算出するステップと、
最大距離未満の距離を有する複数の移動式加入者装置のうちの一部（複数）を識別するステップと、
から成る方法。
【請求項６】
前記方法が
複数の移動式加入者装置が置かれている位置を含めた複数の時刻刻印記録を定期的に決定し、かつ記録するステップと、
所望の報告時間枠を定義するステップと
をさらに含み、
この決定ステップが、複数の時刻刻印記録に従って、所望の報告時間枠の間に、複数の移動式加入者装置が置かれている位置に対応する複数の位置を決定するステップから成る、
請求項５に記載の方法。
【請求項７】
前記送信ステップが、取るべきアクションを指定するステップから成り、
前記方法が、前記識別ステップにおいて、前記識別された複数の移動式加入者装置のうちの一部（複数）によって、アクションを実行するステップをさらに含む、
請求項６に記載の方法。
【請求項８】
位置メッセージ送信のための双方向無線通信方式のコントローラであって、
メッセージを受信するためのネットワーク・インターフェースと、
メッセージを処理するためにネットワーク・インターフェースに接続される処理システムと、
基地局を制御して基地局と通信するために処理システムに接続される基地局インタフェースと、を具備し、
前記処理システムが、
複数の移動式加入者装置のうちの一部（複数）のために、対応する複数の位置に対する複数のメッセージ・タイプのマッピングするためのテーブルを作成するためと、
複数のメッセージ・タイプのひとつと一致するある移動式加入者装置向けのメッセージを受信するためと、
前記移動式加入者装置が置かれている位置を決定するためと、
複数のメッセージ・タイプのひとつに対応する複数の位置のひとつにその位置が一致した時に、前記移動式加入者装置にメッセージを送信するために
プログラムされ、
前記メッセージは、所定時間枠の間に、指定位置の所定距離の範囲内にあることで促進されるアクションを取るよう前記移動式加入者装置のユーザーを喚起するために該ユーザーにより生成された、リマインダーであり、前記処理システムが、
現在の時刻が所定時間枠の範囲内であるかどうかをチェックするためと、
現在の時刻が所定時間枠内である場合に、特定位置と移動式加入者装置が置かれている位置間の距離を算出するためと、
距離が所定距離未満である場合に、前記距離を算出した後に、移動式加入者装置にメッセージを送信するため
にさらにプログラムされる、コントローラ。
【請求項９】
メッセージを送信する前に、メッセージが位置の決定のための最小分解能を必要とし、
前記処理システムが、メッセージを送信する前に、少なくとも最小必要分解能の分解能で位置が決定されたことを保証するためにさらにプログラムされる、請求項８に記載のコントローラ。
【請求項１０】
メッセージが、ある特定タイプのユーザー向けの緊急メッセージで、ある特定位置で発生したイベントに応答して生成され、
前記処理システムが、
移動式加入者装置が特定のタイプのユーザーに属する場合に、特定位置と移動式加入者装置が置かれている位置間の距離を算出するためと、
距離が所定距離未満である場合に、移動式加入者装置にメッセージを送信するため
にさらにプログラムされる、請求項８に記載のコントローラ。
【請求項１１】
前記処理システムが、
メッセージを送信した後の所定時間内に充分な応答が発生しなかった場合に、所定距離より大きい算出距離を有している少なくとも一つの追加の移動式加入者装置にメッセージを送信するためにさらにプログラムされる、請求項１０に記載のコントローラ。
【請求項１２】
位置メッセージ送信のための双方向無線通信方式のコントローラであって、
メッセージを受信するためのネットワーク・インターフェースと、
メッセージを処理するためにネットワーク・インターフェースに接続される処理システムと、
基地局を制御して基地局と通信するために処理システムに接続される基地局インタフェースと、を具備し、
前記処理システムが、
地理的位置と最大距離を指定しているブロードキャスト・メッセージを複数の移動式加入者装置に送信するためと、
地理的位置から最大距離未満の距離を有する複数の移動式加入者装置の一部（複数）を識別する応答を該複数の移動式加入者装置の一部（複数）から受信するために、
プログラムされるコントローラ。
【請求項１３】
前記処理システムが、
所望の報告時間枠を定義するためと、
所望の報告時間から成る履歴リクエスト・メッセージを複数の移動式加入者装置に送信するためと、
所望の報告時間枠に、最大距離未満だけ地理的位置から離隔した距離にある複数の移動式加入者装置から応答を受信するために、
さらにプログラムされる、請求項１２に記載のコントローラ。
【請求項１４】
前記処理システムが、ブロードキャスト・メッセージのなかで、取るべきアクションを指定するためにさらにプログラムされる、請求項１３に記載のコントローラ。
【請求項１５】
位置メッセージ送信のための双方向無線通信方式の移動式加入者装置であって、
アウトバウンド・メッセージを受信するための受信機と、
アウトバウンド・メッセージを処理するために受信機に接続される処理システムと、
インバウンド・メッセージを送信するために処理システムに接続される送信機と、を具備し、
前記処理システムが、
受信機と協同して、地理的位置および最大距離を指定しているブロードキャスト・メッセージを受信するためと、
ブロードキャスト・メッセージに応答して移動式加入者装置が置かれている位置を決定するためと、
地理的位置と移動式加入者装置が置かれている位置との間の位置を算出するためと、
最大距離未満の距離の場合に、送信機と協同して、双方向無線通信方式の固定部分に、移動式加入者装置を識別する情報を送信するために、
プログラムされる、移動式加入者装置。
【請求項１６】
前記処理システムが、
定期的に、移動式加入者装置が置かれている位置を含めた複数の時刻刻印記録を決定し、かつ記録するためと、
受信機とさらに協同して、所望の報告時間枠を定義しているメッセージを受信するためと、
複数の時刻刻印記録に従って、所望の報告時間枠に移動式加入者装置が置かれている位置を決定するためと、
前記距離を算出するのに、所望の報告時間における移動式加入者装置が置かれている位置を使用するために、
さらにプログラムされる、請求項１５に記載の移動式加入者装置。
【請求項１７】
ブロードキャスト・メッセージが、取るべきアクションを指定し、
前記処理システムが、最大値未満の距離の場合にアクションを実行するようにさらにプログラムされる、請求項１６に記載の移動式加入者装置。
【発明の詳細な説明】
【０００１】
（発明の属する技術分野）
本発明は、一般に無線通信方式に関し、更に詳細には双方向無線通信方式における位置メッセージ送信のための方法と装置に関する。
【０００２】
（発明の背景）
位置決定技術は、無線通信方式においてますます重要になっている。初期のアプリケーションは、主として送信信頼性や周波数再利用の技術改善に集中していた。現在、位置決定の本質的技術として、位置を利用した機能の必要性が生じてきている。
【０００３】
そのような機能のひとつが位置に基づくメッセージ送信（以下、位置メッセージ送信とする）である。メッセージを受信、送信する移動式加入者装置の位置に基づいて、更に詳細にはメッセージ・タイプに基づいて、インバウンド・メッセージとアウトバウンド・メッセージの両方を制御できる方法と装置が必要とされる。
【０００４】
（発明の概要）
本発明のひとつの態様は、双方向無線通信方式における位置メッセージ送信のための方法である。この方法は、複数の移動式加入者装置の一部（複数）のために、対応する複数の位置に対する複数のメッセージ・タイプのマッピングするためのテーブルを作成するステップと、複数のメッセージ・タイプのひとつと一致するある移動式加入者装置向けのメッセージを受信するステップとから成る。この方法は更に、該移動式加入者装置が置かれている位置を決定するステップと、複数のメッセージ・タイプのひとつに対応する複数の位置のひとつにその位置が一致した時に、該移動式加入者装置にメッセージを送信するステップとから成る。
【０００５】
本発明の別の態様は、双方向無線通信方式における位置メッセージ送信のための方法である。この方法は、地理的位置および最大距離を指定しているブロードキャスト・メッセージを複数の移動式加入者装置に送信するステップと、このブロードキャスト・メッセージに応答して、その複数の移動式加入者装置が置かれている位置に対応する複数の位置を決定するステップとから成る。この方法は更に、地理的位置と対応する複数の位置との間の複数の距離を算出するステップと、最大距離未満の距離を有する複数の移動式加入者装置の一部（複数）を識別するステップとから成る。
【０００６】
本発明の第３の態様は、位置メッセージ送信のための双方向無線通信方式のコントローラである。このコントローラは、メッセージを受信するためのネットワーク・インターフェースと、該メッセージを処理するためにネットワーク・インターフェースに接続される処理システムと、基地局を制御して、かつ基地局と通信するために処理システムに接続される基地局インターフェースとから成る。処理システムは、複数の移動式加入者装置の一部（複数）のために、対応する複数の位置に対する複数のメッセージ・タイプのマッピングするためのテーブルを作成して、複数のメッセージ・タイプのひとつと一致するある移動式加入者装置向けのメッセージを受信するように設定されている。この処理システムは更に、該移動式加入者装置が置かれている位置を決定して、複数のメッセージ・タイプのひとつに対応する複数の位置のひとつにその位置が一致した時に、該移動式加入者装置にメッセージを送信するようにプログラムされている。
【０００７】
本発明の第４の態様は、位置メッセージ送信のための双方向無線通信方式のコントローラである。このコントローラは、メッセージを受信するためのネットワーク・インターフェースと、該メッセージを処理するためにネットワーク・インターフェースに接続される処理システムと、基地局を制御して、かつ基地局と通信するために処理システムに接続される基地局インターフェースとから成る。処理システムは、複数の移動式加入者装置へ地理的位置および最大距離を指定しているブロードキャスト・メッセージを送信して、地理的位置から最大距離未満の距離を有する複数の移動式加入者装置の一部（複数）を識別する応答を該複数の移動式加入者装置の一部（複数）から受信するようにプログラムされている。
【０００８】
本発明の第５の態様は、位置メッセージ送信のための双方向無線通信方式の移動式加入者装置である。この移動式加入者装置は、アウトバウンド・メッセージを受信する受信機と、アウトバウンド・メッセージを処理するために受信機に接続されている処理システムと、インバウンド・メッセージを送信する処理装置に接続されている送信機とから成る。この処理システムは、受信機と協同して地理的位置および最大距離を指定するブロードキャスト・メッセージを受信し、該ブロードキャスト・メッセージに応答して移動式加入者装置が置かれている位置を決定するように設定されている。処理システムは更に、地理的位置と移動式加入者装置が置かれている位置との間の距離を算出し、該距離が最大距離未満の場合には送信機と協同して双方向無線通信方式の固定部分へ移動式加入者装置の特定情報を送信するようにプログラムされている。
【０００９】
（図面の詳細な説明）
図１について説明する。電気ブロック図は、コントローラ１１２および複数の従来の基地局１１６を具備する固定部分１０２と、複数の移動式加入者装置１２２とを具備する無線通信方式から成る本発明の例証的な無線通信方式を表す。この基地局１１６は従来の無線周波数（ＲＦ）技術を利用している移動式加入者装置（ＰＳＵ）１２２と通信し、従来の通信リンク１１４により基地局１１６を制御するコントローラ１１２に接続されるのが好ましい。
【００１０】
コントローラ１１２のこのハードウェアは、モトローラ社により製造された、Ｃｈｏｒｅｏｇｒａｐｈｅｒ！TM  、Ｗｉｒｅｌｅｓｓ  Ｍｅｓｓａｇｉｎｇ  ＧａｔｅｗａｙTM ｔｅｒｍｉｎａｌ、ＲＦ−Ｕｓｈｅｒ！TM  ｍｕｌｔｉｐｌｅｘｅｒ、そして、ＲＦ−Ｃｏｎｄｕｃｔｏｒ！TM  ｍｅｓｓａｇｅ  ｄｉｓｔｒｉｂｕｔｏｒの組み合わせであることが好ましく、本発明に従って修正されたソフトウェアを利用する。基地局１１６のこのハードウェアは、モトローラ社により製造された、ＲＦ−Ｏｒｃｈｅｓｔｒａ！TM  ｔｒａｎｓｍｉｔｔｅｒとＲＦ−Ａｕｄｉｅｎｃｅ！TM  ｒｅｃｅｉｖｅｒの組み合わせであることが好ましい。この移動式加入者装置１２２は、モトローラ社によりやはり製造されたＰａｇｅＷｒｉｔｅｒ  ｄａｔａ  ｐｏｒｔａｂｌｅ  ｓｕｂｓｃｒｉｂｅｒ  ｕｎｉｔと好ましくは類似しており、同様に、本発明に従って修正されたソフトウェアを利用する。他の類似のハードウェアもまたコントローラ１１２、基地局１１６および移動式加入者装置１２２のために使用できることはいうまでもない。
【００１１】
それぞれの基地局１１６は、アンテナ１１８を経て移動式加入者装置１２２にＲＦ信号を送信する。基地局１１６の各々は、複数の移動式加入者装置１２２から、アンテナ１１８を経てＲＦ信号を受信するのが好ましい。基地局１１６によって移動式加入者装置１２２に送信されるこのＲＦ信号（アウトバウンド・メッセージ）は、移動式加入者装置１２２を特定している選択的な呼出アドレスと、無線通信システムのオペレーテイング・パラメータを調整するためにコントローラ１１２によって発生させられるコマンド同様、メッセージ発信者によって、発生させられるデータ・メッセージとから成る。移動式加入者装置１２２によって、基地局１１６に好ましくは送信されるこのＲＦ信号（インバウンド・メッセージ）は、たとえば肯定応答（ＡＣＫ）や否定応答（ＮＡＫ）のような予定されたメッセージと、たとえば登録リクエストや情報項目のリクエストのような予定外のメッセージとから成る。
【００１２】
コントローラ１１２は、一般加入電話網（ＰＳＴＮ）１１０へ電話リンク１０１により好ましくは接続され、ＰＳＴＮ１１０から選択的な呼出メッセージを受信する。ＰＳＴＮ１１０からのデータ・メッセージから成る選択的な呼出は、たとえばＰＳＴＮ１１０に接続している従来の電話機１１１または従来のコンピュータ１１７から生成される。その代わりに、たとえば少し例を挙げれば、ローカル・エリア・ネットワーク（ＬＡＮ）、広域ネットワーク（ＷＡＮ）およびインターネットのような、その他のタイプのネットワークが選択的な呼出受信に使用できるのはいうまでもない。コンピュータ１１７はまた無線通信方式により利用される多様なアプリケーションを実現するためのサーバとしても機能するのはいうまでもない。そのモードでは、コンピュータ１１７はＰＳＴＮを通さずに直接コントローラ１１２に接続されるのが好ましい。
【００１３】
アウトバウンド・メッセージとインバウンド・メッセージに利用される無線プロトコルは、モトローラの良く知られたデジタル方式の選択的な通話信号プロトコルＦＬＥＸTMから選ばれるのが好ましい。これらのプロトコルは、周知のエラー検出およびエラー訂正技術を利用しているので、送信中のビットエラーがあまり多くない場合には、ビットエラーの発生を許容する。他の適切なプロトコルもまた使うことができるのはいうまでもない。いま説明した例証的な無線通信方式は、蓄積転送メッセージ送信システムであるが、本発明がたとえば移動電話システムのようなリアルタイム無線通信方式にも適用できることは、またいうまでもないことである。
【００１４】
図２は、本発明における例証的な移動式加入者装置１２２の電気ブロック図である。この移動式加入者装置１２２は、アウトバウンド・メッセージを受信すると共に、インバウンド・メッセージを送信するためのアンテナ２０４を有する。このアンテナ２０４は、アウトバウンド・メッセージを受信する従来の受信機２０８に接続されると共に、インバウンド・メッセージを送信する従来の送信機２０９に接続されるのが好ましい。本発明によればこの受信機２０８および送信機２０９は、インバウンド・メッセージとアウトバウンド・メッセージを処理すると共に移動式加入者装置１２２を制御するために処理システム２０６に接続される。ユーザー・インターフェース２１４も、ユーザーとのインターフェースのための処理システム２０６に接続されるのが好ましい。ユーザー・インターフェース２１４は移動式加入者装置１２２を制御するための従来のキーボード２２０と、メッセージおよび他の情報を表示するための従来のディスプレイ２１６と、アウトバウンド・メッセージが着信した時にユーザーに警告するための従来の警報要素２１８とから成る。従来のクロック２０７も、移動式加入者装置１２２の計時要求をサポートするために処理システム２０６に接続される。
【００１５】
処理システム２０６は、従来のプロセッサ２１０および従来のメモリ２１２を具備する。本発明によれば、メモリ２１２は処理システム２０６をプログラムするためのソフトウェア・エレメントおよびデータから成る。メモリ２１２は、移動式加入者装置１２２が応答できる選択的な呼出アドレス２２２を具備するのが好ましい。更に、メモリ２１２は周知の技術でメッセージを処理する処理システム２０６をプログラムするためのメッセージ処理装置２２４を具備する。本発明によれば、メモリ２１２は、位置情報を処理する処理システム２０６をプログラムするための位置情報処理プログラム２２６を更に具備する。このメモリ２１２はまた、本発明の１態様において、利用される位置情報および最大距離２２８を格納するためのスペースを具備する。このメモリ２１２は更に、ひとつの特定位置と移動式加入者装置１２２が置かれている位置との間の距離を算出する処理システム２０６をプログラムするための距離計算プログラム２３０も具備する。このメモリ２１２は更に、固定部分１０２が移動式加入者装置１２２を識別できるように、処理システム２０６をプログラムするための識別プログラム２３２も具備する。このメモリ２１２は更に、移動式加入者装置１２２が置かれている位置から成る、時間が刻印された記録（以下時刻刻印記録）２３６を格納するためのスペースも有する。一実施形態において、移動式加入者装置１２２は、周知の技術により位置情報の決定を助ける処理システム２０６に接続される、たとえばグローバル・ポジショニング・システム（ＧＰＳ）受信機のような位置受信機２３４も含む。本発明に係る移動式加入者装置１２２の動作を更に以下に詳述する。
【００１６】
図３は、本発明による例証的なコントローラ１１２を表す電気ブロック図である。コントローラ１１２は、電話リンク１０１を経てメッセージ発信者からのメッセージを受信するための、ネットワーク・インターフェース３１８を具備する。このネットワーク・インターフェース３１８は、ネットワーク・インターフェース３１８を制御し通信するために処理システム３１０に接続されている。処理システムは、通信リンク１１４を経て基地局１１６を制御し通信するために基地局インターフェース３０４に接続されている。処理システム３１０は、またタイミング信号を処理システム３１０に送る従来のクロック３３６にも接続される。処理システム３１０は、本発明に係る情報やオペレーティング・ソフトウェアがプログラムされている、従来のコンピュータ３１２と、たとえば磁気ディスク装置のような従来のマス・メディア３１４とを具備する。マス・メディア３１４は、このシステムを使用している加入者のためのサービスを定義しているプロファイルを保存するための、従来の加入者データベース３２０を具備する。このマス・メディア３１４は、周知の技術によりメッセージを処理するためのメッセージ処理装置３２２を更に具備する。
【００１７】
マス・メディア３１４はまた、本発明に係る位置情報を処理する処理システム３１０をプログラムするための位置情報処理プログラム３２６を含む。このマス・メディア３１４はまた、複数の移動式加入者装置のうちの一部（複数）のために、各々のメッセージ・タイプに必要な最小位置分解能とともに、対応する複数の位置に対する複数のメッセージ・タイプのマッピングするためのメッセージ・タイプ対位置のテーブル３２８を含む。マス・メディア３１４はまた、その位置が複数のメッセージ・タイプのひとつに対応する複数の位置のひとつに一致する時に、移動式加入者装置１２２にメッセージを送り出すように処理システム３１０をプログラムするための、送信決定プログラム３３０を含む。このマス・メディア３１４は、所定時間枠の間に、指定位置の所定距離の範囲内にあることで促進されるアクションを取るよう移動式加入者装置１２２の複数のうちの一つのユーザーを喚起するために該ユーザーによって生成された、複数のリマインダー・メッセージ（予定を喚起するメッセージ）３３２を格納するためのスペースを具備する。一実施形態において、コントローラ１１２はまた、メッセージを送信する前に最小必要分解能の分解能で位置決定を保証する処理システム３１０を、プログラムするための分解能保証プログラム３３８も具備する。またマス・メディア３１４には、ある特定位置と移動式加入者装置１２２が置かれている位置との間の距離を算出するように処理システム３１０をプログラムするための距離計算プログラム３４０が具備される。更にマス・メディア３１４は、ある特定位置から最大距離未満に存在する移動式加入者装置１２２から受信される複数の応答識別子３４２のためのスペースを有する。本発明に係るコントローラ１１２の動作を下記に更に説明する。
【００１８】
図４は、本発明の第１の実施態様による、例証的な無線通信方式の動作を表すフローチャートである。このフローは、好ましくは移動式加入者装置１２２に、複数の移動式加入者装置のために、対応する複数の位置に対する複数のメッセージ・タイプのマッピングするためのメッセージ・タイプ対位置のテーブル３２８を作成する（４０２）ことから始まる。ここで、用語「メッセージ・タイプ」とは、たとえば情報源、緊急度およびメッセージの目的のようなメッセージ特性の集合体を有することを意味する。情報源はたとえばメッセージ（または呼出）が内部ビジネス・メッセージであるか、友人や余暇の呼出なのかのインジケータとして使用される。目的とは、たとえばある作業をしたり、他の誰かからの情報を伝えたり、クーポンを発行したり、助けを求めたり、交通情報を報告することを自分に思い出させることである。テーブル３２８は、移動式加入者装置がある特定位置かそれに近い位置にあるときに、移動式加入者装置１２２があるタイプのメッセージを送受信できるように設定できる。たとえば、テーブルは仕事中のみビジネス・メッセージ（または呼出）を受信したり、仕事外のみ友人や余暇メッセージを受信したり、運転中のみ交通最新情報を受信したり、モールでのみクーポンや広告を受信したり、どこででも緊急のメッセージを受信したり、やらなくてはならない仕事を完成させることを促す位置の近くにいる時にそれをするように思い出せるリマインダーを受信したり、特定位置の近くにいる時のみあるタイプのメッセージに応答するために作成される。
【００１９】
次に、コントローラ１１２は移動式加入者装置１２２向けの、移動式加入者装置１２２に対応しているテーブル３２８中の複数のメッセージ・タイプのひとつに一致したメッセージを受信する（４０４）。このメッセージは、コントローラ外部（たとえば入ってくる電話から）やコントローラ内部（たとえば期限が迫ったリマインダー・メッセージを経由して）で生成できる。メッセージが外部のものの場合、コントローラは周知の技術で提供される呼出端末識別情報（ＣＬＩ）から、メッセージ・タイプを推定するのが好ましい。メッセージがインターネットで発生した場合、コントローラは発信者のＵＲＬからメッセージ・タイプを決定するのが好ましい。メッセージ用のアドレス（たとえば優先順位アドレス、情報サービスアドレス、個人のメッセージアドレス、その他）のようなメッセージの他の態様も、メッセージ・タイプの特定を促すのに使用できる。
【００２０】
コントローラ１１２はメッセージが個々の移動式加入者装置１２２向けの緊急メッセージであるかどうかをチェックする（４３２）。そうである場合、コントローラ１１２はできるだけ早くにメッセージを送り（４３４）、そしてプロセスは終了する。緊急度はたとえば「９１１」で始まる数字メッセージや「ｕｒｇｅｎｔ（緊急）」で始まる英数字メッセージのようなメッセージ内容から決定されるのが好ましい。その代わりに、緊急度が加入者装置１２２のＰＩＮ（Ｐｅｒｓｏｎａｌ  Ｉｄｅｎｔｉｆｉｃａｔｉｏｎ  Ｎｕｍｂｅｒ：個人識別番号、以下ＰＩＮと記述する）または電話番号と関連するのはいうまでもない。メッセージがインターネットで生じる場合、発信ダイアログ・ボックスに「緊急」とラベルをつけられたボックスをチェックする周知の技術によって、発信者は緊急性を示すことができる。誤用防止が要求される場合、緊急メッセージを送信するパスワードが発信者から要求される。その代わりに、複数の緊急段階をいくつかのシステムにおいて設け得ることは、更にいうまでもない。このようなシステムにおいては、たとえば最高の緊急段階ではメッセージ・タイプのチェックなしで直ちに送信でき、一方低位の緊急段階では緊急性のないメッセージと同様に処理される。
【００２１】
ステップ４３２でメッセージが緊急でない場合、コントローラ１１２は、次に移動式加入者装置１２２と協同して、移動式加入者装置１２２が置かれている位置を決定する（４０６）。コントローラはそれから、移動式加入者装置１２２の位置が対応するメッセージ・タイプとしてテーブル３２８に示す位置と一致するかどうかチェックする（４０８）。たとえば、メッセージ・タイプが「緊急な要件でない」の場合、移動式加入者装置１２２の位置が、自分の要件の位置であるか？…そうでない場合、４１０で、フローはステップ４１２にルートを取り、ここで、移動式加入者装置１２２がメッセージ・タイプに適した位置にある場合、後で送信するためにコントローラ１１２はメッセージを保存する。代わりに、リアルタイム音声システムにおいては、たとえば、メッセージを保存するために、コントローラはボイス・メールシステムへ発信者を導くことができる。
【００２２】
一方ステップ４１０で位置が一致する場合、次にコントローラはテーブル３２８がメッセージ・タイプによる移動式加入者装置１２２の位置最小分解能の必要性を示すかどうかをチェックする（４１４）。そうである場合、コントローラ１１２は移動式加入者装置１２２が最小分解能を得たかどうかをチェックする（４１６）。そうでない場合には、コントローラは分解能向上のための所定時間を待って（４１８）、それから再び分解能が最小に達したかどうかをチェックする（４１６）。（ある位置を決定する技術、たとえばＧＰＳ、が高解像度に達するまでに時間を必要とすることは周知である）。
【００２３】
分解能が必要とされる最小値に達した場合、またはテーブル３２８に最小分解能が指定されていない場合には、コントローラは次に、メッセージが、所定時間枠の間にユーザーに指定位置の所定距離の範囲内にあることで促進されるアクションを取るよう移動式加入者装置１２２のユーザーを喚起するために該ユーザーにより生成されたリマインダーであることを、メッセージ・タイプが表示しているかどうかをチェックする（４２０）。そうである場合、コントローラ１１２は現在時刻が所定時間枠の範囲内であることをチェックし、リマインダーを起動する時間であることを決定する。このコントローラ１１２は、次にリマインダーの中で指定したある特定位置と移動式加入者装置１２２が置かれている位置との間の距離を算出する（４２４）。もし距離がリマインダーの中で指定した所定距離より短い場合、次にこのコントローラは移動式加入者装置１２２にリマインダー・メッセージを送信して（４２８）、プロセスが終了したかどうかチェックする（４３６）。そうである場合には、プロセスは終了する。代わりに、リマインダー・メッセージ機能が、コントローラ１１２からほとんどあるいは全く支援なしに、移動式加入者装置１２２において、大半実行され得ることはいうまでもない。これは、加入者装置１２２におけるメモリの増加や処理使用率を犠牲にし、無線トラフィックを減少させるであろう。
【００２４】
一方ステップ４２０で、メッセージがリマインダーでない場合、コントローラはメッセージがヘルプ！・メッセージであるかどうかをチェックする（４３０）。ヘルプ！・メッセージは、ある特定のタイプのユーザー（たとえば警察、消防士、医者、緊急救援隊、その他）向けの緊急メッセージとして定義され、ある特定位置で発生したイベントに応答して生成される。ヘルプ！・メッセージはイベントへの応答が必要な、ある特定のタイプのユーザーに対応する移動式加入者装置１２２の対象グループに送信されるのが好ましい。種々の移動式加入者装置１２２の対象グループが、各々のタイプのヘルプ！・メッセージに対するコントローラ１１２のデータベースに、前もってプログラムされているのが好ましい。各々のヘルプ！・メッセージには、固有のＰＩＮまたは電話番号が割り当てられるのが好ましい。代わりに、共通のＰＩＮまたは電話番号を複数のヘルプ！・メッセージに割り当て、コントローラが必要なヘルプのタイプに関してメッセージ発信者の意見を尋ねることができる。
【００２５】
ステップ４３０でメッセージがヘルプ！・メッセージである場合、コントローラ１１２はグループの第１の対象移動式加入者装置１２２から始め、イベントの特定位置と移動式加入者装置１２２が置かれている位置間の距離を算出する（４２４）。距離がイベントのために指定された、所定距離未満の場合、コントローラ１１２は対象移動式加入者装置１２２にヘルプ！・メッセージを送信し（４２８）、次にグループ中の全ての対象移動式加入者装置１２２が、処理されたかどうかチェックする（４３６）。そうでない場合には、コントローラはグループの次の対象移動式加入者装置１２２に進み（４３８）、イベントの特定位置と対象の移動式加入者装置１２２が置かれている位置間の距離を算出する（４２４）。このプロセスはグループの全ての対象移動式加入者装置１２２が処理されるまで同様に続けられる。グループの個々の対象応答者の位置を考慮することによって、ヘルプ！・メッセージは迅速に応答できる人に優先的に送信され、一方迅速な応答ができない人はスキップされる。ヘルプ！・メッセージ送信に対する充分な応答が、所定時間（たとえば１分）内に発生しなかった場合、ヘルプ！・メッセージを、イベントに関して特定された、所定距離より遠い算出距離を有する一つ以上の追加の対象移動式加入者装置１２２にも送信できることはいうまでもない。
【００２６】
図５は、本発明の第２の実施態様に係る、例証的な無線通信方式を表しているフローチャートである。このフローは、コントローラ１１２が、複数の移動式加入者装置１２２へ地理的位置と最大距離を指定しているブロードキャスト・メッセージを送信する（５０２）ことから始まる。オプションとして、ブロードキャスト・メッセージは取るべきアクションも指定できる。複数の移動式加入者装置１２２は、次にこのブロードキャスト・メッセージに応答して、複数の移動式加入者装置１２２が置かれている対応する複数の位置を好ましくは決定する（５０４）。またこの複数の移動式加入者装置１２２は、次に地理的位置と対応する複数の位置との間の複数の距離を好ましくは算出する（５０６）。それから、最大距離未満の距離を有する複数の移動式加入者装置１２２のうちの一部（複数）は、次に固定部分１０２に報告することで、それ自身を好ましくは識別する（５０８）。その代わりに、報告に必要な領域を定義する一定の半径を使用する代わりとして、領域を報告するために、たとえば四角形を指定する２つのｘ、ｙペアまたは不規則な形を指定するｘ、ｙの積を使用できることはいうまでもない。更に、（より大きい）指定領域から除外し、サブ領域を指定できる。またステップ５１０でブロードキャスト・メッセージが取るべきアクションを指定すると、次に最大距離未満にある複数の移動式加入者装置１２２はアクションを実行する（５１２）。取るべきアクションはたとえば少し例を挙げれば、特定のメッセージを表示すること、デバイスを動作させること、メッセージを送信することを含む。
【００２７】
本発明に係る第２の実施態様は、たとえば犯罪を目撃してしまったかもしれない人々の集団を法律の施行により決定する方法が使用できる。犯罪は必ずしも直ちに発見されないので、この複数の移動式加入者装置１２２は、複数の移動式加入者装置１２２が置かれている位置を含めた複数の時刻刻印記録を定期的に決定し、かつ記録するようにもプログラムされる。それから所望の報告時間枠（たとえば犯罪推定時間または時間の範囲）が定義されたあと、コントローラ１１２は地理的位置から最大距離未満に置いてある複数の移動式加入者装置１２２の一部（複数）が所望の報告時間枠の間に固定部分に報告することを要求するメッセージを送信できる。所望の報告時間枠の間にそのように配置されている移動式加入者装置１２２は、固定部分１０２にその後応答を送信する。次にブロードキャスト・メッセージが取るべきアクションも指定する場合、所望の報告時間枠の間に、最大距離未満の距離を有する該複数の移動式加入者装置１２２の一部（複数）は、アクションを実行する。
【００２８】
「紛失と発見」についての上記の実施態様の使用例を下記に述べる。このシステムは、ある会議中にある部屋にいたものにだけに表示されるメッセージを放送する。更に詳細には、キー・セットが午前９時から午前１０時まで続いた会議のあと会議室で見つけられた。このシステムは、建物中に次のブロードキャスト・メッセージを送信する。
【００２９】
『キー・セットを四角形（ｘ１，ｙ１）、（ｘ２、ｙ２）の会議室Ａに、（１９９９年５月２４日午前９時、１９９９年５月２４日午前１０時）の間に紛失された方は、セキュリティと連絡をとってください』。
【００３０】
指定の時間枠の間、指定の会議室にいたことを示す、時刻刻印記録を持つ加入者装置１２２だけがメッセージを表示することになる。他の全ての加入者装置１２２は、好都合にも適切でないメッセージによってユーザーに迷惑をかけることがない。
【００３１】
このように、本発明が、メッセージを受信または送信する移動式加入者装置の位置に基づいて、更に詳細にはメッセージ・タイプに基づいて、インバウンド・メッセージとアウトバウンド・メッセージ両方の送信を制御する方法と装置を有利に提供できることは、前述の開示から明白である。
【００３２】
本発明の多くの修正および変形が、上記の教示を考慮して可能となる。従って、本願明細書において、上記に詳細に説明した以外でも、特許請求の範囲の範囲内で、本発明が実施できることは当然理解されることである。
【図面の簡単な説明】
【図１】本発明における例証的な無線通信方式の電気ブロック図。
【図２】本発明における例証的な移動式加入者装置の電気ブロック図。
【図３】本発明における例証的なコントローラの電気ブロック図。
【図４】本発明の第１の実施態様による、例証的な無線通信方式の動作を表すフローチャート。
【図５】本発明の第２の実施態様による、例証的な無線通信方式を表しているフローチャート。
【図１】
0004408335.tif 000002
【図２】
0004408335.tif 000003
【図３】
0004408335.tif 000004
【図４】
0004408335.tif 000005
【図５】
0004408335.tif 000006